(57)【特許請求の範囲】
【請求項１】
下方から上方に向けて調和空気が流入する流入口を有するルーバ底部と、該ルーバ底部の上側に取付けられ背面側が閉塞され内部に空間部を画成するカバー部と、該カバー部の背面と反対側に位置するように前向きに開口して設けられ調和空気を居住空間に吹出す吹出口と、該吹出口に設けられ調和空気の吹出し方向を可変に調整するフィンとからなる空調用ルーバにおいて、
前記ルーバ底部には、前記流入口から前記空間部内を上向きに流入する調和空気を前記吹出口に向けて風向きを変える複数の風向き変更片を設け、
前記各風向き変更片は、前記ルーバ底部から前記カバー部内の空間部へと上方に延びた状態で立設する構成とし、
かつ前記各風向き変更片は、その基端側が前記ルーバ底部に取付けられ、中間部が前記空間部内を上側に延び、先端側が前記吹出口に向け傾斜して延びる構成とし、
前記ルーバ底部の流入口には異物の侵入を防止するメッシュ部を設け、このメッシュ部は、通気孔を隣接して多数個並べることにより形成され、前記各風向き変更片は、前記多数個の通気孔のうち複数個の通気孔の周囲に設ける構成としたことを特徴とする空調用ルーバ。
【請求項２】
前記各風向き変更片は、樹脂材料を用いて前記ルーバ底部と一体成形する構成としてなる請求項１に記載の空調用ルーバ。
【請求項３】
前記カバー部は、内部に前記空間部を画成する内カバーと、該内カバーを外側から覆うように重ねて設けられた外カバーとにより形成し、
前記吹出口は、前記内カバーの開口と外カバーの開口とを重ね合わせることにより形成し、
前記フィンは、その側方位置に設けた支持ピンを前記内カバーと外カバーとの間に挟むことにより前記カバー部に回動可能に取付ける構成としてなる請求項１または２に記載の空調用ルーバ。
【発明の詳細な説明】
【技術分野】
【０００１】
本発明は、空調装置の室内機から供給される調和空気を居住空間に吹出すのに用いて好適な空調用ルーバに関する。
【背景技術】
【０００２】
一般に、自動車、各種作業機械、飛行機等ように、居住空間に乗込んで操作を行うものは、その居住空間における作業環境を良好にするために、温度等を調整した調和空気を吐出する空調装置を備えている。この空調装置が調和空気を吐出する吐出口には空調ダクトが接続され、該空調ダクトの先端側には、調和空気を居住空間に向けて吹出すための空調用ルーバが設けられている。
【０００３】
この空調用ルーバは、下方から上方に向けて調和空気が流入する流入口を有するルーバ底部と、該ルーバ底部の上側に取付けられ背面側が閉塞され内部に空間部を画成するカバー部と、該カバー部の背面と反対側に位置するように前向きに開口して設けられ調和空気を居住空間に吹出す吹出口と、該吹出口に設けられ調和空気の吹出し方向を可変に調整するフィンとにより大略構成されている（例えば、特許文献１参照）。
【０００４】
これにより、空調装置を運転したときには、空調ダクトを通じて空調用ルーバに調和空気を供給することができる。そして、ルーバ底部の流入口から上向きに流入した調和空気は、カバー部に前向きに開口した吹出口から居住空間に流出させることができる。この吹出口から調和空気を流出させるときに、吹出口に設けたフィンの角度を調整することにより、調和空気の吹出し方向を上，下方向に調整することができる。
【先行技術文献】
【特許文献】
【０００５】
【特許文献１】特開平８−１７５１５６号公報
【発明の概要】
【発明が解決しようとする課題】
【０００６】
ところで、上述した特許文献１によるものでは、調和空気の吹出口に上，下方向に回動可能にフィンを設けているから、このフィンの角度を調整することにより、上方から下方までの広い範囲で目標とする高さ位置に合わせて調和空気を吹出すことができる。
【０００７】
ここで、空調ダクトから流入口を通じてカバー部内に流入する調和空気は、下方から上方に向けて流通するから、フィンを上向きに回動させた状態では、上向きに流通する調和空気がフィンに対して鋭角に当たることになる。従って、フィンに当たった調和空気は、そのままフィンに沿って吹出口から吹出すことができる。
【０００８】
しかし、フィンを下向きに回動させたときには、上向きに流通する調和空気がフィンに対して鈍角に当たることになる。この場合には、フィンに当たった調和空気がカバー部内に戻ってしまうから、効率よく調和空気を吹出すことができないという問題がある。
【０００９】
本発明は上述した従来技術の問題に鑑みなされたもので、本発明の目的は、空調装置から空調ダクトを介して供給される調和空気を吹出口から効率よく吹出すことができ、居住空間における作業環境を良好にできるようにした空調用ルーバを提供することにある。
【課題を解決するための手段】
【００１０】
本発明による空調用ルーバは、下方から上方に向けて調和空気が流入する流入口を有するルーバ底部と、該ルーバ底部の上側に取付けられ背面側が閉塞され内部に空間部を画成するカバー部と、該カバー部の背面と反対側に位置するように前向きに開口して設けられ調和空気を居住空間に吹出す吹出口と、該吹出口に設けられ調和空気の吹出し方向を可変に調整するフィンとからなる。
【００１１】
そして、上述した課題を解決するために、請求項１の発明が採用する構成の特徴は、前記ルーバ底部には、前記流入口から前記空間部内を上向きに流入する調和空気を前記吹出口に向けて風向きを変える複数の風向き変更片を設け、前記各風向き変更片は、前記ルーバ底部から前記カバー部内の空間部へと上方に延びた状態で立設する構成とし、かつ前記各風向き変更片は、その基端側が前記ルーバ底部に取付けられ、中間部が前記空間部内を上側に延び、先端側が前記吹出口に向け傾斜して延びる構成とし、前記ルーバ底部の流入口には異物の侵入を防止するメッシュ部を設け、このメッシュ部は、通気孔を隣接して多数個並べることにより形成され、前記各風向き変更片は、前記多数個の通気孔のうち複数個の通気孔の周囲に設ける構成としたことにある。
【００１３】
請求項２の発明によると、前記各風向き変更片は、樹脂材料を用いて前記ルーバ底部と一体成形する構成としている。
【００１４】
請求項３の発明によると、前記カバー部は、内部に前記空間部を画成する内カバーと、該内カバーを外側から覆うように重ねて設けられた外カバーとにより形成し、前記吹出口は、前記内カバーの開口と外カバーの開口とを重ね合わせることにより形成し、前記フィンは、その側方位置に設けた支持ピンを前記内カバーと外カバーとの間に挟むことにより前記カバー部に回動可能に取付ける構成としている。
【発明の効果】
【００１５】
請求項１の発明によれば、ルーバ底部に設けた複数の風向き変更片は、ルーバ底部の流入口からカバー部の空間部内を上向きに流入する調和空気の風向きを変更することにより、この調和空気をカバー部に前向きに開口した吹出口に向け流通させることができる。従って、吹出口に向かって流れる調和空気は、吹出口に設けたフィンを下側に向けた場合でも、このフィンに対して鋭角に当たることになる。これにより、調和空気をフィンに沿わせるようにして吹出口から居住空間に吹出すことができる。
【００１６】
この結果、調和空気は、風向き変更片による風向きの変更によって吹出口に向けて流通させることができ、フィンの角度に拘わらず、居住空間に無駄なく供給することができる。これにより、調和空気を居住空間に効率よく吹出すことができるから、居住空間における作業環境を良好にすることができる。
この場合、各風向き変更片は、ルーバ底部から上方に延びるように形成することができる。この風向き変更片を複数本立設することにより、ルーバ底部の流入口から上向きに流入する調和空気の風向きを、複数本の風向き変更片によって効果的に変更することができる。また、各風向き変更片は、その基端側によってルーバ底部に取付けることができる。しかも、各風向き変更片の中間部は、空間部内を上側に延びて形成しているから、調和空気の流れを邪魔することなく、上向きに流通させることができる。さらに、風向き変更片の中間部に沿って上側に流れた調和空気は、風向き変更片の先端側の傾斜によって吹出口に向けて風向きを変えることができる。
【００１７】
しかも、ルーバ底部の流入口にはメッシュ部を設けることにより、異物の侵入を防止することができる。このメッシュ部は、通気孔を隣接して多数個並べることにより形成され、各風向き変更片は、前記多数個の通気孔のうち複数個の通気孔の周囲に設けることができる。
【００１８】
請求項２の発明によれば、各風向き変更片は、樹脂材料を用いてルーバ底部と一体成形することができる。
【００１９】
請求項３の発明によれば、重ねられる内カバーと外カバーとを利用し、フィンの側方位置に設けた支持ピンを挟むことにより、吹出口の位置に該フィンを回動可能に取付けることができる。また、内カバーと外カバーとを重ね合わせることにより、それぞれの開口を利用して吹出口を形成することができる。
【図面の簡単な説明】
【００２０】
【図１】本発明の実施の形態に適用される油圧ショベルを示す正面図である。
【図２】キャブ内の構造を図１中の矢示II−II方向からみた横断面図である。
【図３】キャブボックスを取外して運転席、フロア部材、運転席、空調ダクト、空調用ルーバ等を示す外観斜視図である。
【図４】本実施の形態による空調用ルーバを単体で拡大して示す外観斜視図である。
【図５】空調用ルーバを拡大して示す断面図である。
【図６】空調用ルーバを分解した状態で示す分解断面図である。
【図７】１個の部品として一体成形されたルーバ底部と各風向き変更片とを示す外観斜視図である。
【図８】図７に示すルーバ底部と各風向き変更片との平面図である。
【図９】上段フィンを単体で拡大して示す正面図である。
【図１０】中段フィンを単体で拡大して示す正面図である。
【図１１】下段フィンを単体で拡大して示す正面図である。
【図１２】連結レバーを単体で拡大して示す正面図である。
【図１３】参考例による空調用ルーバを示す断面図である。
【発明を実施するための形態】
【００２１】
以下、本発明の実施の形態に係る空調用ルーバを建設機械としての油圧ショベルに適用した場合を例に挙げ、図１ないし図１２に従って詳細に説明する。
【００２２】
図１において、１は土砂の掘削作業等に用いられる建設機械の代表例である油圧ショベルを示している。この油圧ショベル１は、自走可能なクローラ式の下部走行体２と、該下部走行体２上に旋回可能に搭載され、該下部走行体２と共に車体を構成する上部旋回体３と、該上部旋回体３の前側に俯仰動可能に設けられた作業装置４とにより大略構成されている。
【００２３】
５は上部旋回体３の左前側に設けられたキャブで、該キャブ５内は、オペレータが搭乗して各種操作を行うための居住空間となっている。キャブ５は、図２に示す如く、後述するフロア部材６とキャブボックス７とにより構成されている。
【００２４】
６はキャブ５の床面を構成するフロア部材で（図２、図３参照）、該フロア部材６は、前，後方向に長尺な長方形状の板体として形成されている。また、フロア部材６のほぼ中央位置には後述の運転席８が設けられている。
【００２５】
７はフロア部材６と共にキャブ５を構成するキャブボックスで、該キャブボックス７は、フロア部材６上にオペレータの居住空間を画成するものである。このキャブボックス７には、作業時の視界を確保するための前窓７Ａ、右窓７Ｂ等を有し、左側にはオペレータが出入りする乗降口を開閉するドア７Ｃが設けられている。
【００２６】
８はキャブ５内に位置してフロア部材６上に設けられた運転席で、該運転席８は、居住空間に搭乗したオペレータが着座するものである。また、運転席８の後側には、後述する空調装置の室内機９が配設されている。
【００２７】
９は運転席８の後側に位置してフロア部材６上に設けられた空調装置の室内機を示している。この室内機９は、所望の温度に調整した冷風または温風を調和空気としてキャブ５内の居住空間に供給することにより、該キャブ５内をオペレータが望む温度環境に調整するものである。また、室内機９は、電動式の送風ファン、冷風を発生するエバポレータ、温風を発生するヒータコア、風向を切換える切換板（いずれも図示せず）等を内蔵している。室内機９はエンジン側に設けられるコンデンサ、コンプレッサ等からなる空調装置の室外機（いずれも図示せず）と接続されている。
【００２８】
１０はキャブ５内の右端に設けられた空調ダクトで、該空調ダクト１０は、図３に示すように、室内機９から供給される調和空気を居住空間の所望の位置まで導くものである。空調ダクト１０は、基端側が室内機９の調和空気の吐出口に接続され、先端側がフロア部材６の右側を前側に延びると共に前側位置で屈曲して上側に延びたダクト本体１０Ａ（点線で図示）と、該ダクト本体１０Ａを覆うように設けられた略Ｌ字状のダクトカバー１０Ｂと、該ダクトカバー１０Ｂの足元位置に設けられた足元吹出口１０Ｃとにより大略構成されている。また、ダクト本体１０Ａの先端部（ダクトカバー１０Ｂの前側上部）には後述の空調用ルーバ１１が設けられている。
【００２９】
次に、本実施の形態による空調用ルーバ１１の構成について、図３ないし図１２を参照しつつ説明する。
【００３０】
図３において、１１は空調ダクト１０のダクト本体１０Ａの先端部（ダクトカバー１０Ｂの前側上部）に設けられた空調用ルーバを示している。この空調用ルーバ１１は、空調装置の室内機９から空調ダクト１０を通じて供給される調和空気を、キャブ５内の居住空間に吹出すものである。このときに、空調用ルーバ１１は、調和空気の吹出し方向を左，右方向（水平方向）と上，下方向（垂直方向）とに可変に調整することができる。ここで、空調用ルーバ１１の構成を説明するのに際し、図５、図６の左側を後側または背面側とし、その反対側を前側として説明するものとする。
【００３１】
そして、空調用ルーバ１１は、図４ないし図６に示すように、空調ダクト１０のダクト本体１０Ａの先端部に接続される後述のルーバ底部１２と、該ルーバ底部１２の上側に取付けられたカバー部１８と、該カバー部１８の前側に開口して設けられ調和空気を居住空間に吹出す吹出口２１と、該吹出口２１に設けられ調和空気の吹出し方向を上，下方向で可変に調整する３枚のフィン２２，２３，２４と、カバー部１８内に流入する調和空気を前記吹出口２１に向け風向きを変える風向き変更片２６〜２９とにより大略構成されている。
【００３２】
１２は空調用ルーバ１１の底部側を形成するルーバ底部で、該ルーバ底部１２は、空調用ルーバ１１を空調ダクト１０に取付ける基部を構成するものである。そして、ルーバ底部１２は、図７、図８に示す如く、前側が広幅となる略Ｄ字状の外形をもった環状の底板部１３と、該底板部１３の周囲から上側に突出した周縁部１４と、前記底板部１３の内周側から下側に突出した短尺な円筒状の嵌合筒部１５と、前記底板部１３と嵌合筒部１５の内周側に形成された流入口１６と、該流入口１６に設けられたメッシュ部１７とにより大略構成されている。なお、ルーバ底部１２は、後述の風向き変更片２６〜２９と一緒に、例えば樹脂材料を用いた射出成形によって１個の部品として一体成形されている。
【００３３】
ここで、底板部１３の前側位置には、後述するねじ部材３０が挿通されるねじ挿通孔１３Ａが上，下方向に貫通して設けられている。また、周縁部１４の前側には、後述する外カバー２０の係合爪２０Ｇが係合する係合溝１４Ａが設けられ、後側には、外カバー２０の係合突起２０Ｈが係合する係合爪１４Ｂが設けられている。
【００３４】
嵌合筒部１５は、空調ダクト１０のダクト本体１０Ａの先端部または該ダクト本体１０Ａの先端部と接続可能なダクトカバー１０Ｂの上部に対し回動可能に嵌合するものである。この嵌合筒部１５には、空調ダクト１０に対して嵌合したときに、水平方向の回動を許しつつ抜止めする爪部１５Ａが１箇所または周方向の複数箇所に設けられている。
【００３５】
また、流入口１６は、上，下方向を軸線とする貫通孔をなし、これにより、空調ダクト１０を介して供給される調和空気は、流入口１６を通って下方から上方に向けてほぼ垂直方向に流通することになる。
【００３６】
さらに、流入口１６内に設けられたメッシュ部１７は、図７、図８に示すように、空調ダクト１０のダクト本体１０Ａ内に硬貨、紙屑等の異物が侵入するのを防止するものである。メッシュ部１７は、大きな開口面積を確保できるように六角形状の通気孔１７Ａを隣接して多数個並べることにより、所謂ハニカム形状に形成されている。このメッシュ部１７上には、後述の風向き変更片２６〜２９が立設されている。
【００３７】
１８はルーバ底部１２の上側に取付けられたカバー部を示している。このカバー部１８は、後述の内カバー１９と外カバー２０とを重ね合わせることにより二重構造として形成されている。
【００３８】
まず、内カバー１９は、図４、図６に示すように、中央付近が最も高くなる凸球面状に形成され、閉塞された後側が背面部１９Ａとなり、該背面部１９Ａと反対側の前側が頂部から裾部までほぼ直線状（平面状）延びた斜面部１９Ｂとなっている。また、斜面部１９Ｂには、例えば上側が円弧状をなし、下側が矩形状をなした略Ｄ字状の開口１９Ｃが形成されている。この開口１９Ｃの左，右方向の側辺部に対応する位置には、後述する外カバー２０の上段切欠き部２０Ｄ、中段切欠き部２０Ｅ、下段切欠き部２０Ｆに対応するように、上，下方向に間隔をもって上段押え部１９Ｄ、中段押え部１９Ｅ、下段押え部１９Ｆが形成されている。
【００３９】
また、内カバー１９の前側には、ルーバ底部１２を構成する底板部１３のねじ挿通孔１３Ａに対応する位置にねじ穴１９Ｇが形成され、後側には、外カバー２０の係合爪２０Ｊに係合する係合段部１９Ｈが設けられている。ここで、凸球面状に形成された内カバー１９内には空間部１９Ｊが画成され、この空間部１９Ｊには後述の風向き変更片２６〜２９が配置されている。
【００４０】
外カバー２０は、内カバー１９の外面に密着するように設けられ、該内カバー１９とほぼ同様の形状で該内カバー１９よりも僅かに大きく形成されている。即ち、外カバー２０は、後側が背面部２０Ａとなり、反対側の前側が斜面部２０Ｂとなり、該斜面部２０Ｂには略Ｄ字状の開口２０Ｃが形成されている。また、開口２０Ｃの左，右の側辺部には、前述した内カバー１９の上段押え部１９Ｄ、中段押え部１９Ｅ、下段押え部１９Ｆに対向するように、上段切欠き部２０Ｄ、中段切欠き部２０Ｅ、下段切欠き部２０Ｆが形成されている。
【００４１】
一方、ルーバ底部１２に取付けられる外カバー２０の下部には、その前側に位置してルーバ底部１２を構成する周縁部１４の係合溝１４Ａに係合する係合爪２０Ｇが設けられ、背面側には、周縁部１４の係合爪１４Ｂが係合する係合突起２０Ｈが設けられている。さらに、係合突起２０Ｈよりも上側には、内カバー１９の係合段部１９Ｈと係合する係合爪２０Ｊが設けられている。
【００４２】
２１はカバー部１８の背面と反対側に位置するように前向きに開口して設けられた吹出口である。この吹出口２１は、内カバー１９の開口１９Ｃと外カバー２０の開口２０Ｃとを重ね合わせることにより、例えば上側が円弧状をなし、下側が矩形状をなした略Ｄ字状の開口として形成されている。そして、吹出口２１は、空調ダクト１０から空調用ルーバ１１内に流入した調和空気を居住空間に吹出すもので、ルーバ底部１２の流入口１６による調和空気の流れ方向（略垂直方向）と異なる横向き（略水平方向）に開口して設けられている。また、吹出口２１は、後述の各フィン２２，２３，２４が設けられている。
【００４３】
２２は吹出口２１の上側部分を閉塞するように回動可能に設けられた上段フィンで、該上段フィン２２の左，右方向の端縁には、図９に示すように、上，下方向の中間部に位置して回動支点となる支持ピン２２Ａが左，右方向に突出して設けられている。また、各支持ピン２２Ａの先端部には、後述の中段フィン２３と下段フィン２４と連動して回動するための連動腕２２Ｂが支持ピン２２Ａの径方向に延びて設けられている。上段フィン２２の内側面には、上，下方向に延びるようにして板状のリブ２２Ｃが立設されている。さらに、上段フィン２２は、各支持ピン２２Ａが内カバー１９の上段押え部１９Ｄと外カバー２０の上段切欠き部２０Ｄとの間に回動可能に支持されることにより、各支持ピン２２Ａを中心にして回動することができる。
【００４４】
２３は吹出口２１の上，下方向の中間部分を閉塞するように回動可能に設けられた中段フィンで、該中段フィン２３は、上段フィン２２の下側に配置された左，右方向に長尺な長方形状の板体からなっている。また、図１０に示すように、中段フィン２３には、前述した上段フィン２２とほぼ同様に、左，右方向の端縁に回動支点となる支持ピン２３Ａが設けられ、該各支持ピン２３Ａの先端部に連動腕２３Ｂが設けられ、内側に位置する面にリブ２３Ｃが立設されている。さらに、中段フィン２３は、各支持ピン２３Ａが内カバー１９の中段押え部１９Ｅと外カバー２０の中段切欠き部２０Ｅとの間に回動可能に支持されることにより、各支持ピン２３Ａを中心にして回動することができる。
【００４５】
２４は吹出口２１の下側部分を閉塞するように回動可能に設けられた下段フィンで、該下段フィン２４は、中段フィン２３の下側に配置された左，右方向に長尺な長方形状の板体からなっている。また、図１１に示すように、下段フィン２４には、前述した上段フィン２２とほぼ同様に、左，右方向の端縁に回動支点となる支持ピン２４Ａが設けられ、該各支持ピン２４Ａの先端部に連動腕２４Ｂが設けられ、内側に位置する面にリブ２４Ｃが立設されている。さらに、下段フィン２４は、各支持ピン２４Ａが内カバー１９の下段押え部１９Ｆと外カバー２０の下段切欠き部２０Ｆとの間に回動可能に支持されることにより、各支持ピン２４Ａを中心にして回動することができる。
【００４６】
２５は各フィン２２，２３，２４の左，右両側に設けられた連結部材（片方のみ図示）で、該連結部材２５は、図１２に示すように、長板からなり、長さ方向に間隔をもって３個の取付孔２５Ａ，２５Ｂ，２５Ｃが形成されている。そして、連結部材２５の取付孔２５Ａには上段フィン２２の連動腕２２Ｂが回動可能に取付けられ、取付孔２５Ｂには中段フィン２３の連動腕２３Ｂが回動可能に取付けられ、取付孔２５Ｃには下段フィン２４の連動腕２４Ｂが回動可能に取付けられている。これにより、各連結部材２５は、３枚のフィン２２，２３，２４の回動動作（開閉動作）を連動させることができる。
【００４７】
２６〜２９はカバー部１８内に設けられた本実施の形態の特徴部分である複数本の風向き変更片を示している。この風向き変更片２６〜２９は、図５に示すように、ルーバ底部１２の流入口１６から空間部１９Ｊ内を上向きに流入する調和空気を吹出口２１に向けて風向きを変えるものである。ここで、風向き変更片２６〜２９は、ルーバ底部１２から上方に延びた状態で複数本立設され、具体的には、図７、図８に示すように、前，後方向に４列で、前側から２本、１本、２本、１本の順で合計６本設けられている。この風向き変更片２６〜２９の本数と配置形態は、メッシュ部１７の通気孔１７Ａの大きさ、配置または取付けられる部材の構造等により変更されるもので、この本数、形状、配置に限定されるものではない。
【００４８】
６本の風向き変更片２６〜２９のうち、最前部（第１列）に位置する２本の風向き変更片２６は、メッシュ部１７の前側寄りに位置する通気孔１７Ａの位置に配置されている。この風向き変更片２６は、下側の基端部２６Ａが通気孔１７Ａの周囲に固着され、中間部２６Ｂが基端部２６Ａから空間部１９Ｊ内を上側に延び、先端部２６Ｃが中間部２６Ｂの上部から吹出口２１に向け傾斜して延びている。
【００４９】
ここで、前記基端部２６Ａと中間部２６Ｂは、前側が開口するように上，下方向（鉛直方向）に延びた半円筒体として形成されている。これにより、半円筒体からなる基端部２６Ａと中間部２６Ｂは、メッシュ部１７の通気孔１７Ａの周囲に設けることができ、該通気孔１７Ａの調和空気の流れを邪魔することなく、この調和空気を先端部２６Ｃに向けて流通させることができる。
【００５０】
また、先端部２６Ｃは、例えば吹出口２１（閉じた状態の各フィン２２，２３，２４）に対してほぼ直交するような角度をもって横向きに傾斜して延びている。これにより、先端部２６Ｃは、通気孔１７Ａから基端部２６Ａ、中間部２６Ｂに沿って上向きに流れる調和空気の流れの向き（風向き）を変え、調和空気を前側に開口した吹出口２１（各フィン２２，２３，２４）に向けて流通させることができる。
【００５１】
次に、風向き変更片２６の後側に位置する第２列の風向き変更片２７は、その高さ寸法が第１列の風向き変更片２６の高さ寸法よりも高く設定されている以外は、ほぼ同様に形成されている。即ち、第２列の風向き変更片２７は、基端部２７Ａ、中間部２７Ｂおよび先端部２７Ｃにより構成されている。
【００５２】
風向き変更片２７の後側に位置する第３列の風向き変更片２８は、その高さ寸法が第２列の風向き変更片２７の高さ寸法よりも高く設定されている以外は、ほぼ同様に形成されている。即ち、第３列の風向き変更片２８は、基端部２８Ａ、中間部２８Ｂおよび先端部２８Ｃにより構成されている。
【００５３】
風向き変更片２８の後側に位置する最後列（第４列）の風向き変更片２９は、その高さ寸法が第３列の風向き変更片２８の高さ寸法よりも高く設定されている以外は、ほぼ同様に形成されている。即ち、第４列の風向き変更片２９は、基端部２９Ａ、中間部２９Ｂおよび先端部２９Ｃにより構成されている。
【００５４】
３０はルーバ底部１２とカバー部１８とに亘って設けられたねじ部材である。このねじ部材３０は、ルーバ底部１２の上側にカバー部１８を取付けた状態で、ルーバ底部１２を構成する底板部１３のねじ挿通孔１３Ａに下側から挿通し、カバー部１８を構成する内カバー１９のねじ穴１９Ｇに螺着することにより、両者間を強固に結合することができる。
【００５５】
このように構成された空調用ルーバ１１は、吹出口２１の各フィン２２，２３，２４を下向きに開口させた場合でも、各風向き変更片２６〜２９の先端部２６Ｃ〜２９Ｂにより、各フィン２２，２３，２４の内面に対し調和空気を鋭角となる角度α（各フィン２２，２３，２４でほぼ共通の角度となるために上段フィン２２にのみ図示している）で当てることができる。これにより、各フィン２２，２３，２４の内面に対し鋭角に当たった調和空気は、カバー部１８内に逆流することなく、そのまま吹出口２１から吹出す（流出させる）ことができる。
【００５６】
また、各風向き変更片２６〜２９は、前側から後側に向けて高さ寸法が順次高くなるように設定しているから、前側に位置する風向き変更片２６〜２８に邪魔されることなく、吹出口２１に向けて多くの調和空気を効率よく流通させることができる。
【００５７】
さらに、各風向き変更片２６〜２９とルーバ底部１２とメッシュ部１７とは、１個の部品として一体成形している。この場合、ルーバ底部１２をカバー部１８と別個に設け、該ルーバ底部１２の流入口１６に設けたメッシュ部１７から上側に立上げて各風向き変更片２６〜２９を設ける構成としているから、成形型を用いて各風向き変更片２６〜２９を１回の成形加工で形成することができる。
【００５８】
本実施の形態による油圧ショベル１は上述の如き構成を有するもので、次に、その動作について説明する。
【００５９】
まず、オペレータは、キャブ５に搭乗し、走行用の操作レバーを操作することにより、下部走行体２を前進または後退させることができる。一方、キャブ５内のオペレータは、左，右の作業レバーを操作することにより、作業装置４等を動作させて土砂の掘削作業等を行うことができる。
【００６０】
油圧ショベル１の作業時には、キャブ５内の居住空間の作業環境を良好にするために、空調装置を運転して居住空間に調和空気を供給する。この空調装置の運転時に、室内機９からの調和空気は、空調ダクト１０のダクト本体１０Ａを介してキャブ５（居住空間）の前側まで導かれて空調用ルーバ１１に流入する。そして、空調用ルーバ１１に流入した上向きの調和空気は、風向き変更片２６〜２９によって前向きに開口した吹出口２１に向けて案内することができ、各フィン２２，２３，２４間を通して居住空間内に吹出すことができる。
【００６１】
このときに、空調用ルーバ１１を水平方向に回転させて吹出口２１を前側に向けることにより、キャブボックス７の前窓７Ａの曇りを取ることができる。また、吹出口２１を後側ないし右側に向けることにより、右窓７Ｂの曇りを取ることができる。さらに、吹出口２１をオペレータの向けることにより、調和空気をオペレータに向け効率よく供給することができる。しかも、各フィン２２，２３，２４を上，下方向に回動することにより、調和空気の吹出し方向を上，下で調整することができる。
【００６２】
かくして、本実施の形態によれば、空調用ルーバ１１のカバー部１８内には、ルーバ底部１２の流入口１６から上向きに流入する調和空気の風向きを変え、カバー部１８に前向きに開口して設けられた吹出口２１に向ける各風向き変更片２６〜２９を設ける構成としている。従って、吹出口２１に向かって流れる調和空気は、該吹出口２１に設けた各フィン２２，２３，２４を下側に向けた場合でも、該各フィン２２，２３，２４に対して鋭角に当てることができるから、該各フィン２２，２３，２４に沿わせるように調和空気を吹出口２１から居住空間に吹出すことができる。
【００６３】
この結果、空調装置の室内機９から空調ダクト１０を介して供給される調和空気は、各風向き変更片２６〜２９による風向きの変更によって吹出口２１に向けて流通させることができ、各フィン２２，２３，２４の角度に拘わらず、居住空間に効率よく供給することができる。これにより、キャブ５内の居住空間におけるオペレータの作業環境を良好にすることができる。
【００６４】
また、ルーバ底部１２の流入口１６には、多数個の通気孔１７Ａからなるメッシュ部１７を設ける構成としているから、誤って硬貨、紙屑等の異物が吹出口２１からカバー部１８内に入り込んだ場合でも、メッシュ部１７は空調ダクト１０のダクト本体１０Ａ側に異物が侵入するのを防止することができ、信頼性を向上することができる。
【００６５】
しかも、各風向き変更片２６〜２９は、下側の基端部２６Ａ〜２９Ａをメッシュ部１７の通気孔１７Ａの周囲に固着し、中間部２６Ｂ〜２９Ｂを基端部２６Ａから空間部１９Ｊ内に向け上側に延ばし、先端部２６Ｃ〜２９Ｃを中間部２６Ｂの上部から吹出口２１に向け傾斜するように延ばす構成としている。また、基端部２６Ａ〜２９Ａと中間部２６Ｂ〜２９Ｂは、上，下方向に延びる半円筒体として形成している。従って、基端部２６Ａ〜２９Ａと中間部２６Ｂ〜２９Ｂは、各通気孔１７Ａを通る調和空気の流れを邪魔することなく、調和空気を先端側の先端部２６Ｃ〜２９Ｃまで円滑に流通させることができる。そして、各通気孔１７Ａを通過して上向きに流れる調和空気は、先端部２６Ｃ〜２９Ｃに当てることにより風向きを変えて吹出口２１に向け流通させることができる。これにより、簡単な構成で調和空気の進路を変更することができる。
【００６６】
また、前，後方向で４列設けた風向き変更片２６〜２９は、前側から後側に向けて高さ寸法が順次高くなるように設定している。従って、各風向き変更片２７〜２９は、前側に位置する各風向き変更片２６〜２８に邪魔されることなく、吹出口２１に向けて多くの調和空気を効率よく流通させることができる。これにより、吹出口２１の全面から調和空気を吹出すことができ、冷房運転、暖房運転の効率を高めることができる。
【００６７】
また、重ねられる内カバー１９と外カバー２０とを利用し、各フィン２２，２３，２４の支持ピン２２Ａ，２３Ａ，２４Ａを挟むことにより、吹出口２１の位置に該各フィン２２，２３，２４を回動可能に取付けることができる。また、内カバー１９の開口１９Ｃと外カバー２０の開口２０Ｃとを重ね合わせることにより、それぞれの開口１９Ｃ，２０Ｃを利用して吹出口２１を簡単に形成することができる。
【００６８】
さらに、ルーバ底部１２をカバー部１８と別個に設け、該ルーバ底部１２の流入口１６に設けたメッシュ部１７から上側に立上げて各風向き変更片２６〜２９を設ける構成としているから、成形型を用いて各風向き変更片２６〜２９を形成することができる。これにより、ルーバ底部１２とメッシュ部１７と各風向き変更片２６〜２９とを、１個の部品として一体成形することができ、製造コストの低減、組付け作業性の向上を図ることができる。
【００６９】
なお、実施の形態では、ルーバ底部１２の流入口１６にメッシュ部１７を設け、該メッシュ部１７に各風向き変更片２６〜２９を取付けることにより、該各風向き変更片２６〜２９をカバー部１８内に配置する構成とした場合を例に挙げて説明した。しかし、例えば、図１３に示す参考例のように、内カバー１９′の左，右の側部間に亘って延びる傾斜板からなる風向き変更片４１〜４４を設ける構成としてもよい。この参考例によっても、前述した実施の形態と同様に、ルーバ底部１２の流入口１６から上向きに流入する調和空気の風向きを変えて吹出口２１に向けて流通させることができる。
【００７０】
また、実施の形態では、カバー部１８を外カバー２０と内カバー１９との２部材から構成した場合を例示している。しかし、本発明はこれに限らず、例えばカバー部を１部材から構成してもよい。
【００７１】
さらに、実施の形態では、空調用ルーバ１１を建設機械としての油圧ショベル１のキャブ５内に配置した場合を例に挙げて説明した。しかし、本発明はこれに限るものではなく、空調用ルーバ１１は、例えば自動車、飛行機等の居住空間を有し、空調装置を備えたものに広く適用することができる。
【符号の説明】
【００７２】
５  キャブ
９  室内機
１０  空調ダクト
１０Ａ  ダクト本体
１１  空調用ルーバ
１２  ルーバ底部
１６  流入口
１７  メッシュ部
１７Ａ  通気孔
１８  カバー部
１９，１９′  内カバー
１９Ａ，２０Ａ  背面部
１９Ｃ，２０Ｃ  開口
２０  外カバー
２１  吹出口
２２  上段フィン
２３  中段フィン
２４  下段フィン
２６〜２９，４１〜４４  風向き変更片
２６Ａ〜２９Ａ  基端部
２６Ｂ〜２９Ｂ  中間部
２６Ｃ〜２９Ｃ  先端部
【図１】
0005483456.tif 000002
【図２】
0005483456.tif 000003
【図３】
0005483456.tif 000004
【図４】
0005483456.tif 000005
【図５】
0005483456.tif 000006
【図６】
0005483456.tif 000007
【図７】
0005483456.tif 000008
【図８】
0005483456.tif 000009
【図９】
0005483456.tif 000010
【図１０】
0005483456.tif 000011
【図１１】
0005483456.tif 000012
【図１２】
0005483456.tif 000013
【図１３】
0005483456.tif 000014